(57)【要約】【課題】振動板を備えたマイクユニットに対して伝播する、マイクロホン本体ケースにおけるハンドリング等による振動成分を、マイクユニットを支持するマウントケースが面で受けないようにするとともに、マウントケースの強度的課題にも配慮したマイクロホンの防振構造及びマイクロホンを提供する。【解決手段】マウントケース２とチャンバ１とのねじ込み構造を、ゴム等の弾性体からなるサスペンション１３により接続し、この接続部分が弾性体接触になることによるマウントケース２内でのチャンバ１の浮動によるマウントケース２との接触を防止するため、円筒形のチャンバ１下部にリング状のゲル材からなる振動抑制部材１４を取り付けた。【選択図】図１
2011097445.tif 000002
【特許請求の範囲】
【請求項１】
音波の振動を振動板によって受け、この振動でボイスコイルをマグネット近傍において振動させ、電磁誘導によりボイスコイルとセンターポールとの間に形成される静電容量を検出して、電気信号として音声信号を得るマイクユニットと、
前記マイクユニットに接続して、マイクユニットを支持するチャンバと、
前記チャンバを支持して、マイクロホン本体ケースとの接続媒体となるマウントケースと、を備え、
前記チャンバは、弾性体からなるサスペンションにより、前記マウントケースに対して浮動に保持されていることを特徴とするマイクロホンの防振構造。
【請求項２】
前記サスペンションは、前記チャンバの外周に取り付けられる取付部と、前記取付部から前記チャンバの軸方向に対して略垂直方向に薄板状に突出した第１の片と、この第１の片に対して垂直に形成された第２の片とを有する嵌合部と、からなり、
前記嵌合部を、前記マウントケースの上端部に嵌め込むことにより、前記チャンバと前記マウントケースとを接続することを特徴とする請求項１記載のマイクロホンの防振構造。
【請求項３】
前記サスペンションは、前記マイクユニットの直下の前記チャンバの上端部分に取り付けられ、
前記チャンバの下端部分には、前記マウントケースと前記チャンバとの空隙を埋めるようにゲル材を取り付けたことを特徴とする請求項１又は２記載のマイクロホンの防振構造。
【請求項４】
前記チャンバは、前記サスペンションを取り付けるアッパー部分と、前記ゲル材を取り付けるロア部分との２つの部分から構成され、
前記アッパー部分と、前記ロア部分の接続部には、防振部材が間挿されたことを特徴とする請求項３記載のマイクロホンの防振構造。
【請求項５】
請求項１〜４のいずれか１項に記載のマイクロホンの防振構造を備えたマイクロホン。
【発明の詳細な説明】
【技術分野】
【０００１】
本発明は、外部からの振動がマイクユニット内部の振動板に伝播し難いマイクロホンの防振構造及びマイクロホンに関する。
【背景技術】
【０００２】
従来、ハンド型（手持ち型）のマイクロホンにおいては、マイクロホン本体ケースをハンドリングすることによって生じる振動成分が、マイクユニットの振動板にノイズとして伝播することによる音質低下が課題となっており、この振動成分の抑制のための工夫が種々施されてきた。
【０００３】
ここで、従来のマイクユニットの内部構造及びこのマイクユニットのマイクロホン本体ケースへ搭載する際の接続部となるマウントケースへの構造を、図３を参照して説明する。図３（ａ）に示すように、マイクユニット３０は、マイクユニット３０の構成要素を収納するカップ状のヨーク３１に、マグネット３２と、センターポール３３、ボイスコイル３５及びこのボイスコイル３５を固定する振動板３４とを備える。また、ボイスコイル３５及び振動板３４は、ダンパー３６及びダンパー調整ネジ１７によって、ヨーク３１に対して振動自在に支持されるとともに、ボールプレート３７及びセンターリング１９によって固定されている。
【０００４】
マイクユニット３０は、音波の振動を振動板３４が受け、この振動でボイスコイル３５をマグネット３２近傍において振動させ、電磁誘導によりボイスコイル３５とセンターポール３３との間に形成される静電容量を検出して、電気信号として音声信号を得る構造である。
【０００５】
このようなマイクユニット３０は、図３（ｂ）に示すように、下部でチャンバ４０に支持され、このチャンバ４０をマウントケース５０にねじ込むことにより固定される。このようなマイクユニット３０、チャンバ４０及びマウントケース５０の結合体が、図３（ｃ）に示すように、マイクロホン本体に搭載されることとなる。
【０００６】
このようなマイクロホンにおいて、振動板３４には、マウントケース５０に受けた振動が直接伝播するため、これが音波とともに電気信号となりノイズとなる。特に、マウントケース５０を、マイクロホン本体と直接ネジ止めした場合などは、ハンドリングやケースの衝突などによる振動が伝わり易い構造となり、よりノイズが大きくなる。
【０００７】
そこで、マイクロホンの振動板に伝播する振動成分を抑制し、ノイズの低減を図るため、従来より種々の提案がなされている（特許文献１，２参照）。例えば、特許文献１では、マイクユニットをマイクロホン本体ケースに装着するチャンバをゴム等の弾性材料をカップ状に成形したものにより構成し、マイクユニットと、本体ケースとの間に振動の伝播速度の速い剛性材料が介在されていないことで、ハンドリング等による本体ケース由来のノイズを低減している。
【０００８】
この文献では、さらに、弾性防振部材として機能するチャンバの内部の空洞部にゲル状組成物を封入し、このゲル状組成物の振動の減衰効果を利用することで、弾性防振部材が達成できない防振効果をゲル状組成物が補い、特に低域におけるダンピング特性を改善し、タッチノイズを低減させるようにしたものである。
【０００９】
また、特許文献２においても、円筒状に形成された金属材よりなるマイクロホン本体ケース（マイクグリップ）の一端側にマイクユニットを、ダンパーを介して弾性的に支持し、マイクロホン本体ケースが例えば指で擦られたり、持ち替えられたりする際に発生する振動を、ダンパーによって減衰することにより、マイクユニットから出力される振動雑音（ハンドリングノイズ）を小さくすることができるようにしたものである。
【先行技術文献】
【特許文献】
【００１０】
【特許文献１】特開平５−２４４６７８号公報
【特許文献２】特開２００９−１７３２６号公報
【発明の概要】
【発明が解決しようとする課題】
【００１１】
ところで、従来のマイクロホンの防振構造においては、マイクユニットを搭載するマウントケース全体をゴムやダンパー等の弾性部材により構成したとしても、マウントケースをマイクロホン本体ケースに面で接触させて保持する構成を採用しており、結局のところ、マイクロホン本体ケースの振動を、マウントケースの外周面全体で享受することとなる。特に、共鳴室となるチャンバに振動成分が伝播し、ノイズとなってしまう。
【００１２】
このような外周面全体での振動成分を受ける構成では、十分な振動成分の吸収や分散又は回避は不可能であり、防振部材として配した弾性部材の性質に拠るところが大きい。そのため、特許文献１で示されるように、更なる振動成分の吸収・除去を目的として、チャンバにゲル状組成物の挿入などの他の対策が必要となっていた。また、マウントケース全体を弾性部材で構成する必要があるため、マウントケース全体の強度上の懸念も存在する。
【００１３】
本発明は、上記のような従来技術の課題を解決するもので、その目的は、振動板を備えたマイクユニットに対して伝播する、マイクロホン本体ケースにおけるハンドリング等による振動成分を、マイクユニットを支持するマウントケースが面で受けないようにするとともに、マウントケースの強度的課題にも配慮したマイクロホンの防振構造及びマイクロホンを提供することにある。
【課題を解決するための手段】
【００１４】
上記の目的を達成するために、請求項１の発明は、音波の振動を振動板によって受け、この振動でボイスコイルをマグネット近傍において振動させ、電磁誘導によりボイスコイルとセンターポールとの間に形成される静電容量を検出して、電気信号として音声信号を得るマイクユニットと、前記マイクユニットに接続して、マイクユニットを支持するチャンバと、前記チャンバを支持して、マイクロホン本体ケースとの接続媒体となるマウントケースと、を備え、前記チャンバは、弾性体からなるサスペンションにより、前記マウントケースに対して浮動に保持されていることを特徴とする。
【００１５】
以上の態様では、チャンバとマウントケースとの接続部分に、ゴム等の弾性部材からなるサスペンションを設け、マイクユニット及びチャンバをマウントケースに対して面で固定することなく、ある程度独立して浮動自在に支持させたことで、マイクロホンケース本体と直接接するマウントケースからの振動をサスペンションにより吸収、分散及び回避させることができる。
【００１６】
請求項２の発明は、請求項１の発明において、前記サスペンションは、前記チャンバの外周に取り付けられる取付部と、前記取付部から前記チャンバの軸方向に対して略垂直方向に薄板状に突出した第１の片と、この第１の片に対して垂直に形成された第２の片とを有する嵌合部と、からなり、前記嵌合部を、前記マウントケースの上端部に嵌め込むことにより、前記チャンバと前記マウントケースとを接続することを特徴とする。
【００１７】
以上の態様では、サスペンションを取付部と、嵌合部とから構成したことで、従来のようにマイクユニット及びチャンバをマウントケースに対して面で固定することなく、ある程度独立して浮動自在に支持することができ、振動吸収、分散及び回避効果を高く保つことができる。
【００１８】
請求項３の発明は、請求項１又は２の発明において、前記サスペンションは、前記マイクユニットの直下の前記チャンバの上端部分に取り付けられ、前記チャンバの下端部分には、前記マウントケースと前記チャンバとの空隙を埋めるようにゲル材を取り付けたことを特徴とする。
【００１９】
以上の態様では、チャンバへの振動は、それ自体共鳴とするとともに、チャンバ自体及びマイクユニットと固定するネジを通じてマイクユニットの振動板に伝播することとなるが、チャンバの下端部分にマウントケースと前記チャンバとの空隙を埋めるように、優れた緩衝性能と低周波から効果を発揮する防振特性を有するゲル材を取り付けたことにより、マイクロホン本体ケースにおけるハンドリング等による振動が、チャンバへ伝播するのを有効に防止することができる。
【００２０】
また、サスペンションにより、チャンバが、マウントケース内において多少浮動することとなるが、マウントケースとチャンバとの間隙に、ゲル材を設けることで、浮動によるチャンバのマウントケースへの衝突を防止することができる。
【００２１】
さらに、マウントケース内においてマイクユニット及びチャンバを支持するサスペンションは、マイクユニット及びチャンバの荷重が掛かるため、ゴム等の弾性部材により構成し、一方で、マウントケースとチャンバ外周面との間隙であって、荷重の掛からない箇所は、より振動吸収効果の高いゲル材を配置する。このように、本発明では、材料の特性及び構造に応じて、防振素材を配置することで、効率のよいマイクロホンの防振構造を実現している。
【００２２】
請求項４の発明は、請求項３の発明において、前記チャンバは、前記サスペンションを取り付けるアッパー部分と、前記ゲル材を取り付けるロア部分との２つの部分から構成され、前記アッパー部分と、前記ロア部分の接続部には、防振部材が間挿されたことを特徴とする。
【００２３】
以上の態様では、共鳴室を構成するチャンバへの振動成分の侵入経路を、いずれもゲル材を介在させることで、チャンバへの振動成分の伝播を確実に防止することが可能となる。
【００２４】
本発明は、また、請求項１〜４のいずれか１項に記載のマイクロホンの防振構造を備えたマイクロホンとして捉えることも可能である。
【発明の効果】
【００２５】
本発明によれば、振動板を備えたマイクユニットに対して伝播する、マイクロホン本体ケースにおけるハンドリング等による振動成分を、マイクユニットを支持するマウントケースが面で受けないようにするとともに、マウントケースの強度的課題にも配慮したマイクロホンの防振構造及びマイクロホンを提供することができる。
【図面の簡単な説明】
【００２６】
【図１】本発明の実施形態に係るマイクロホンの防振構造を示す模式図。
【図２】本発明の実施形態に係るマイクロホンの防振構造の作製手順を示す模式図。
【図３】従来のマイクユニット及びマイクロホンの防振構造を示す模式図。
【発明を実施するための形態】
【００２７】
本発明を実施するための形態について、図１及び図２を参照して説明する。なお、従来技術の項において説明した事項と同様の構成については、同様の符号を付し、詳細な説明を省略する場合がある。
【００２８】
［１．本実施形態］
［１−１．構成］
本実施形態における本実施形態のマイクロホンの防振構造及びマイクロホンは、チャンバ１の構造、マウントケース２の構造、及びマウントケース２とチャンバ１の当接構造の３点に特徴を持たせたものである。
【００２９】
概略的には、マウントケース２とチャンバ１とのねじ込み構造を、ゴム等の弾性体からなるサスペンション１３により接続し、この接続部分が弾性体接触になることによるマウントケース２内でのチャンバ１の浮動により、チャンバ１とマウントケース２との接触を防止するため、円筒形のチャンバ１下部にリング状のゲル材からなる振動抑制部材１４を取り付けたものである。
【００３０】
より詳細に説明すると、図１に示すように、従来同様のマイクユニット３０の下部には、円筒形のチャンバ１が設けられており、このチャンバ１とマイクユニット３０とは、チャンバ１底部から挿通された固定ネジＮ１により固定されている。
【００３１】
チャンバ１は、アッパーチャンバ１１と、ロアチャンバ１２とから構成され、アッパーチャンバ１１とロアチャンバ１２とは、間挿ゲル材１５を介して接続される。この間挿ゲル材１５には、１ｍｍ圧程度のゲル材を用いる。
【００３２】
アッパーチャンバ１１には、マウントケース２との接続部となる弾性体のサスペンション１３が周囲に取り付けられている。このサスペンション１３は、円筒形の取付部１３ａと、円盤状の水平片Ａと円筒状の垂直片Ｂとを断面Ｆ字状（Ｆを９０度時計回り方向に回転させた状態）にしてなる嵌合部１３ｂとから構成される。
【００３３】
図１（ｂ）に拡大図を示すように、サスペンション１３の取付部１３ａは、アッパーチャンバ１１の外周と略同一の内径からなり、円筒形のアッパーチャンバ１１に対して嵌め込むことにより固定される。嵌合部１３ｂは、その垂直片Ｂは、後述するマウントケース２の環状に形成される上端部を外周側及び内周側の両側から挟みこんで接続されるように、外片Ｂ１と内片Ｂ２の２つの片から構成されており、これらが、下向きにコの字形状を形成している。
【００３４】
ロアチャンバ１２は、全体が円筒形状で底板１２ａを備え、底板１２ａには、前述のチャンバ１とマイクユニット３０とを固定する固定ネジＮ１を挿通させる孔１２ｂを備える。ロアチャンバ１２は、外周のアッパーチャンバ１１寄りの位置に、ロアチャンバ１２の円筒から円周方向に突出するストッパ１２ｃを備えるとともに、アッパーチャンバ１１と反対の底板１２ａよりに円環状に凹部１２ｄを備え、この凹部１２ｄにはゲル材からなる円環状の振動抑制部材１４を備える。
【００３５】
ストッパ１２ｃ及び振動抑制部材１４は、ともに、前述のサスペンション１３の弾性力により、マウントケース２に対してチャンバ１が横方向（軸方向と異なる方向）に対して浮動ないし軸方向に対して摺動する量の限界点として、これを防止する働きをするものである。
【００３６】
すなわち、ストッパ１２ｃは、後述するマウントケース２からマウントケース２内周側でチャンバ１外周に向けて突出するストッパネジＮ２に当接して、チャンバ１の摺動方向の移動を防止するものである。また、振動抑制部材１４は、チャンバ１の軸方向と垂直の方向に肉厚であって、チャンバ１がマウントケース２に挿入された際に、マウントケース２の内周面とチャンバ１外周面との間隙Ｐを埋めるように構成される。
【００３７】
マウントケース２は、アッパーケース２１と、ロアケース２２との２部材から構成され、ともに円筒形状をなす。ロアケース２２は、アッパーケース２１より内径及び外径ともに大きく構成される。すなわち、アッパーケース２１とロアケース２２とは、茶筒と茶筒の蓋のように、ロアケース２２が、アッパーケース２１の軸方向の幅の半分以上を外側から覆うように嵌め込まれるようになっている。
【００３８】
また、ロアケース２２の底部近傍には、段部２２ａが設けられるとともに、アッパーケース２１の円周方向に向けた肉厚がロアケース２２に挿入される部分と挿入されない部分とで二段階に構成され、ロアケース２２に挿入しない部分のほうが外周部に向けて厚く形成されることで外周面側に引っ掛け部２１ａが形成されている。このような構成において、ロアケース２２の段部２２ａには、アッパーケース２１の底部が当接し、アッパーケース２１の引っ掛け部２１ａには、ロアケース２２の上縁部が当接することで、ロアケース２２とアッパーケース２１の嵌め込み具合の位置決めがなされる。
【００３９】
アッパーケース２１の底部近傍の内周面と、ロアケース２２の段部２２ａの平面部分は、マウントケース２にチャンバ１が間挿された際に、振動抑制部材１４がマウントケース２とチャンバ１との間隙Ｐを埋めるように位置する空間が形成されており、さらに、アッパーケース２１の底部近傍からわずかに上方に凸部２１ｂが形成され、この凸部２１ｂが、振動抑制部材１４の上面側を押さえるようになっている。また、凸部２１ｂの底部側は、マウントケース２に対してチャンバ１挿入した際に、振動抑制部材１４がマウントケース２とチャンバ１との間隙Ｐとなる空間に収まるように、テーパ加工されている。
【００４０】
アッパーケース２１とロアケース２２とは、アッパーケース２１の凸部２１ｂが設けられた位置であって、円周上のいずれかの位置において取り付けられた留めネジＮ３によって相互に固定される。また、アッパーケース２１の引っ掛け部２１ａが設けられた位置よりわずかに上側であってアッパーケース２１の直径上には、位置決め孔２１ｃが２つ設けられている。この位置決め孔２１ｃは、チャンバ１が軸方向に大きく移動した場合に、前述したロアチャンバ１２のストッパ１２ｃに当接してチャンバ１の軸方向への移動を防止するストッパの役割を果たすストッパネジＮ２を挿入するためのものである。
【００４１】
以上のように構成されるマイクユニット３０、チャンバ１及びマウントケース２の結合体は、図３に示したような従来同様のマイクロホン本体ケースに装着することにより、本実施形態のマイクロホンを構成する。
【００４２】
［１−２．作用効果］
［１−２−１．組立手順］
以上のような構成からなる本実施形態のマイクロホンの防振構造及びマイクロホンについて、まず、マイクユニット３０と、チャンバ１及びマウントケース２の組み立て手順を、図２を用いて説明する。
【００４３】
本実施形態のマイクロホンの防振構造においては、まず、図２（ａ１）、（ａ２）及び（ｂ１）に示すように、マイクユニット３０とチャンバ１との接続を行なう。すなわち、円筒形のアッパーチャンバ１１に対して、その外周に弾性体からなるサスペンション１３を嵌合する。また、ロアチャンバ１２の底部近傍に円環状に設けられた凹部１２ｄにゲル材からなる振動抑制部材１４を嵌合する。
【００４４】
続いて、アッパーチャンバ１１の底部にゲル材を間挿させつつ、マイクユニット３０、アッパーチャンバ１１及びロアチャンバ１２を軸方向に中心軸を合わせて並べ、ロアチャンバ１２の底部の孔１２ｂから固定ネジＮ１を挿通して、マイクユニット３０の底部に設けられた雌ネジ部にねじ込んで、マイクユニット３０、アッパーチャンバ１１及びロアチャンバ１２の３つの部材を固定する。
【００４５】
次に、図２（ａ３）及び（ｂ２）に示すように、マウントケース２において、アッパーケース２１とロアケース２２との接続を行なう。すなわち、ロアケース２２に対してアッパーケース２１を、アッパーケース２１の底部が、ロアケース２２底部近傍の段部２２ａに当接し、アッパーケース２１の引っ掛け部２１ａが、ロアケース２２上縁部に当接する位置まで挿入する。続いて、アッパーケース２１とロアケース２２とを、アッパーケース２１の凸部２１ｂが設けられた位置であって、円周上のいずれかの位置において、留めネジＮ３によって相互に固定する。 
【００４６】
そして、図２（ｂ）及び（ｃ）に示すように、マイクユニット３０とチャンバ１の結合体を、アッパーケース２１及びロアケース２２からなるマウントケース２に挿入し、これらを接続する。すなわち、マウントケース２上部側より、ロアチャンバ１２の先端を挿入する。このとき、ロアチャンバ１２の底部近傍の凹部１２ｄに設けられた振動抑制部材１４は、アッパーケース２１の底部近傍からわずかに上方に形成された凸部２１ｂに当たり、これを乗り越えて、凹部１２ｄのテーパ加工された面を滑り降りて、この凸部２１ｂが、振動抑制部材１４の上面側を押さえるようになっている。また、凸部２１ｂの底部側は、マウントケース２とチャンバ１との間隙Ｐとなる空間に収まる。
【００４７】
振動抑制部材１４が、上記間隙Ｐの空間に収まると同時に、アッパーチャンバ１１に取り付けられたサスペンション１３の嵌合部１３ｂの垂直片が、アッパーケース２１の上端位置に到達する。ここで、嵌合部１３ｂの垂直片の外片をアッパーケース２１上端位置の外周側に位置させ、内片をアッパーケース２１上端位置の内周側に位置させ、アッパーケース２１の環状に形成される上端部を、垂直片により外周側及び内周側の両側から挟み込むようにする。
【００４８】
最後に、アッパーケース２１の引っ掛け部２１ａが設けられた位置よりわずかに上側であってアッパーケース２１の直径上に設けられた２つの位置決め孔２１ｃに対して、ストッパネジＮ２を挿入し、チャンバ１が軸方向に大きく移動した場合に、ロアチャンバ１２のストッパ１２ｃに当接してチャンバ１の軸方向への移動を防止する。
【００４９】
このようにして構成されたマイクユニット３０、チャンバ１及びマウントケース２の結合体を、図３に示したようなマイクロホン本体に装着することにより、本実施形態のマイクロホンが作製される。
【００５０】
［１−２−２．効果］
以上のような本実施形態のマイクロホンの防振構造及びマイクロホンによれば、チャンバ１とマウントケース２との接続部分に、ゴム等の弾性部材からなるサスペンション１３を設けたことにより、マイクロホンケース本体に直接接するマウントケース２からの振動をサスペンション１３により吸収、分散及び回避させることができる。
【００５１】
特に、サスペンション１３を円筒形の取付部１３ａと、円盤状の水平片と円筒状の垂直片とを断面Ｆ字状にしてなる嵌合部１３ｂとから構成したことで、従来のようにマイクユニット３０及びチャンバ１をマウントケース２に対して固定することなく、ある程度独立して浮動自在に支持させたことで、振動吸収、分散及び回避の効果を高く保つことができる。
【００５２】
また、チャンバ１への振動は、それ自体共鳴とするとともに、チャンバ１自体及びマイクユニット３０と固定する固定ネジＮ１を通じてマイクユニット３０の振動板に伝播することとなるが、本実施形態では、ロアチャンバ１２の底部近傍であって、マウントケース２のロアケース２２内周面とチャンバ１外周面との間隙Ｐに、優れた緩衝性能と低周波から効果を発揮する防振特性を有するゲル材からなる振動抑制部材１４を設けることで、マイクロホン本体ケースにおけるハンドリング等による振動が、チャンバ１へ伝播するのを有効に防止している。
【００５３】
一方、上記のサスペンション１３により、チャンバ１が、マウントケース２内において浮動並びに軸方向に対して摺動することとなるが、このような作用を、以下の２点の構成で、担保している。
【００５４】
まず、ロアチャンバ１２の底部近傍であって、マウントケース２のロアケース２２内周面とチャンバ１外周面との間隙Ｐに、ゲル材からなる振動抑制部材１４を設けることで、浮動によるチャンバ１のマウントケース２への衝突を防止することができる。
【００５５】
また、ロアチャンバ１２の外周のアッパーチャンバ１１寄りの位置に、ロアチャンバ１２の円筒から円周方向に突出するストッパ１２ｃを設け、アッパーケース２１の引っ掛け部２１ａが設けられた位置よりわずかに上側であってアッパーケース２１の直径上の２つの位置決め孔２１ｃからストッパネジＮ２を挿入したことで、ストッパ１２ｃがストッパネジＮ２に当接して、チャンバ１の軸方向への移動を防止することができる。
【００５６】
ここで、サスペンション１３をゴム等の弾性部材により構成し、振動抑制部材１４をゲル材から構成したのは、以下の理由による。すなわち、サスペンション１３は、上述の通り、マウントケース２内においてマイクユニット３０及びチャンバ１を支持するものであって、マイクユニット３０及びチャンバ１の荷重が掛かるため、ゲル材ではこの荷重に耐えることができない。そこで、サスペンション１３は、ゴム等の弾性部材により構成し、一方で、マウントケース２のロアケース２２内周面とチャンバ１外周面との間隙Ｐであって、荷重の掛からない箇所は、より振動吸収効果の高いゲル材を配置し、材料の特性及び構造に応じた構成を実現している。
【００５７】
以上のような本実施形態によれば、振動板を備えたマイクユニットに対して伝播する、マイクロホン本体ケースにおけるハンドリング等による振動成分を、マイクユニットを支持するマウントケースが面で受けないようにするとともに、マウントケースの強度的課題にも配慮したマイクロホンの防振構造及びマイクロホンを提供することができる。
【００５８】
［２．他の実施形態］
本発明は、上述した本実施形態に示される例に限定されるものではなく、以下に示すような態様も包含する。例えば、本実施形態において、チャンバ１は、アッパーチャンバとロアチャンバの２部材からなり、これらの間に間挿ゲル材を挿入して構成したが、これは防振性能を考慮した上での最適な実施例を示すものに過ぎず、本発明では、間挿ゲル材を用いずに、チャンバを１部材で構成することも可能である。
【００５９】
また、本実施形態のようにチャンバを２部材で構成する場合にもおいても、アッパーチャンバとロアチャンバの間に挿入する部材を、ゲル材でなくゴム等の弾性部材によって構成することも可能である。
【００６０】
本実施形態では、マウントケース２もアッパーケースとロアケースの２部材により構成したが、これは、組み立て容易性や組み立て手順に配慮したものであって、間隙Ｐを形成する凸部や段部、ストッパに当接するストッパネジ、サスペンションを嵌め込む上端縁部のような主要な構成を充足する限り、一体に成形して構成することも可能である。
【符号の説明】
【００６１】
１…チャンバ
１１…アッパーチャンバ
１２…ロアチャンバ
１２ａ…底板
１２ｂ…孔
１２ｃ…ストッパ
１２ｄ…凹部
１３…サスペンション
１３ａ…取付部
１３ｂ…嵌合部
１４…振動抑制部材
１５…間挿ゲル材
２…マウントケース
２１…アッパーケース
２１ａ…引っ掛け部
２１ｂ…凸部
２１ｃ…位置決め孔
２２…ロアケース
２２ａ…段部
３０…マイクユニット
３１…ヨーク
３２…マグネット
３３…センターポール
３４…振動板
３５…ボイスコイル
３６…ダンパー
３７…ボールプレート
４０…チャンバ
５０…マウントケース
Ｎ１…固定ネジ
Ｎ２…ストッパネジ
Ｎ３…留めネジ
Ｐ…間隙
【図１】
2011097445.tif 000003
【図２】
2011097445.tif 000004
【図３】
2011097445.tif 000005